(57)【要約】【課題】屈折計を用いずに固さを簡易に測定可能とする。【解決手段】溶質物を添加した浸漬用液体に被加工物を浸漬しつつ溶質物を被加工物に移乗させつつ浸漬加工中の被加工物の固さを固形分率として測定する被加工物固さの測定方法、被加工物固さの測定装置、加熱浸漬加工装置であって、浸漬前の被加工物の乾燥重量と浸漬加工中の全測定重量とから、  固形分率＝被加工物の乾燥重量／浸漬加工中の全測定重量とし、餡の固さ等を数値等に換算して簡易に測定し、表示部２０に逐次表示することを特徴とする。【選択図】図１
2011033634.tif 000002
【特許請求の範囲】
【請求項１】
溶質物を添加した浸漬用液体に被加工物を浸漬しつつ前記溶質物を前記被加工物に移乗させつつ浸漬加工中の被加工物の固さを固形分率として測定する被加工物固さの測定方法であって、
前記浸漬前の被加工物の乾燥重量と浸漬加工中の全測定重量とから、
固形分率＝被加工物の乾燥重量／浸漬加工中の全測定重量
とすることを特徴とする被加工物固さの測定方法。
【請求項２】
溶質物を添加した浸漬用液体に被加工物を浸漬しつつ前記溶質物を前記被加工物に移乗させつつ浸漬加工中の被加工物の固さを測定部が固形分率として測定する被加工物固さの測定装置であって、
前記測定部は、前記浸漬前の被加工物の乾燥重量と浸漬加工中の全測定重量とから、
固形分率＝被加工物の乾燥重量／浸漬加工中の全測定重量
とすることを特徴とする被加工物固さの測定装置。
【請求項３】
溶質物を添加した浸漬用液体に被加工物を浸漬しつつ前記溶質物を前記被加工物に移乗させつつ浸漬加工中の被加工物の固さを固形分率として測定する測定部と、
前記測定部が測定した被加工物固さを表示する表示部と、
を備えた浸漬加工装置であって、
前記測定部は、前記浸漬前の被加工物の乾燥重量と浸漬加工中の全測定重量とから、
固形分率＝被加工物の乾燥重量／浸漬加工中の全測定重量
とすることを特徴とする浸漬加工装置。
【発明の詳細な説明】
【技術分野】
【０００１】
本発明は、食材等の被加工物固さの測定方法及び測定装置、浸漬加工装置に関する。
【背景技術】
【０００２】
食品の製造において、調味液と固体食品原料を混合し、煮熟しながら味受けをする操作がある。この操作においては、母液中の調味剤濃度は食品の水分と水分蒸発により変化し、その管理は母液の屈折率を測定し、塩分又は糖分に換算しているのが現状である。
【０００３】
この方法には、以下の問題がある。
【０００４】
流動性が乏しい場合は自動分析が難しく、サンプリング分析を行うが、サンプルが全体を代表しない恐れがある。
【０００５】
食品の母液が少ない場合は、固形物に妨害され、屈折計のセルの表面を十分に母液で濡らすことができず、測定が困難となる。
【０００６】
一方、固体食品原料中の水分が浸出し、どこまで母液の濃度が変化するか、予測することは、濃縮の終点を決定するため、品質管理上重要である。
【０００７】
更に、製造される食品がペースト状、塑性物、パサパサ状粉体などである場合、食品の流動性、固さも品質上重要で、簡易に品質判定する手段が望まれている。
【先行技術文献】
【特許文献】
【０００８】
【特許文献１】特開平１０−２９５２８０号公報
【発明の概要】
【発明が解決しようとする課題】
【０００９】
解決しようとする問題点は、屈折計による性状測定に限界があり、固さの簡易な測定ができない点である。
【課題を解決するための手段】
【００１０】
本発明は、固さを測定可能とするため、溶質物を添加した浸漬用液体に被加工物を浸漬しつつ前記溶質物を前記被加工物に移乗させつつ浸漬加工中の被加工物の固さを固形分率として測定する被加工物固さの測定方法であって、前記浸漬前の被加工物の乾燥重量と浸漬加工中の全測定重量とから、
固形分率＝被加工物の乾燥重量／浸漬加工中の全測定重量
とすることを主要な特徴とする。
【発明の効果】
【００１１】
本発明は、溶質物を添加した浸漬用液体に被加工物を浸漬しつつ前記溶質物を前記被加工物に移乗させつつ浸漬加工中の被加工物の固さを固形分率として測定する被加工物固さの測定方法であって、前記浸漬前の被加工物の乾燥重量と浸漬加工中の全測定重量とから、
固形分率＝被加工物の乾燥重量／浸漬加工中の全測定重量
とするため、固さを簡易に測定することができる。
【図面の簡単な説明】
【００１２】
【図１】加熱浸漬加工装置の一部を断面及び想像線で示した正面図である（実  施例１）。
【図２】かごの断面図である（実施例１）。
【図３】配管及び吹出口の分解配置図である（実施例１）。
【図４】（ａ）（ｂ）は、吹出口上下の孔を示す平面図である（実施例１）。
【図５】配管に取り付けられた有孔フランジの平面図である（実施例１）。
【図６】糖液の粘度を示すグラフである（実施例１）。
【図７】餡の固形分と固さとの関係のグラフである（実施例１）。
【図８】練り餡の固さの測定例を示すグラフである（実施例１）。
【発明を実施するための形態】
【００１３】
屈折計を用いずに固さを簡易に測定可能にするという目的を
固形分率＝被加工物の乾燥重量／浸漬加工中の全測定重量
とすることで実現した。
【実施例１】
【００１４】
［加熱浸漬加工装置の構造］
図１は、本発明を適用した加熱浸漬加工装置に係り、一部を断面及び想像線で示した全体図、図２は、かごの断面図、図３は、配管及び吹出口の分解配置図、図４（ａ）（ｂ）は、吹出口の孔を示す平面図、図５は、配管に取り付けられた有孔フランジの平面図である。
【００１５】
図１のように、本実施例の浸漬加工装置である加熱浸漬加工装置１は、筐体３に容器５が取り付けられ、容器５の底部に加熱部７が設けられ、容器５内部に、筒部９及び吹出口１１が設けられている。
【００１６】
筐体３は、ベース・フレーム１３に支持され、ベース・フレーム１３は、脚部１５にロード・セルなどにより構成された測定部を構成する重量センサ１７が備えられている。
【００１７】
重量センサ１７の検出信号は、溶質物重量濃度の測定装置及び被固形物固さの測定装置を構成するコントローラ１８に入力され、煮塾が進んで水分が蒸発し、予め設定された溶質物重量濃度或いは固形分率となるように空気吹き出しを制御し、目標の糖度或いは固さに応じた重量になると装置の空気吹き出しの動作が自動的に停止制御される構成となっている。溶質物重量濃度或いは固形分率は、コントローラ１８からの出力により液晶ディスプレィなどで構成された表示部２０に逐次表示されるようになっている。溶質物重量濃度等の詳細については、後述する。
【００１８】
容器５は、縦型であり、被加工物である例えば豆類を浸漬用液体である糖液と共に収容可能である。この容器５は、本体部１９及び上部２１からなり、筐体３に取り付けられている。本体部１９は、筐体３に固定され、上部２１は、本体部１９上に着脱自在に取り付けられ、蓋２２を備えている。従って、容器５は、重量センサ１７を備えたベース・フレーム１３に支持された構成となっている。容器５の本体部１９には、底部にドレン・パイプ２３が結合されている。ドレン・パイプ２３は開閉可能であり、開放により容器５内の糖液を排出することができる。
【００１９】
加熱部７は、電熱加熱ヒータで構成され、容器５の底面に取り付けられ、コントローラ１８により動作制御され、容器５を加熱する構成となっている。なお、加熱部７は、電磁誘導型ヒータで構成することも可能である。この加熱部７は、独立に制御され、所定時間で停止制御される。
【００２０】
筒部９は、容器５の内部中央に上下に向けて配置され、上下開放となっている。筒部９は、下筒部２５及び上筒部２７からなり、上筒部２７は、下筒部２５に着脱自在に嵌合装着されている。図１，図２のように下筒部２５には、多孔性の補助容器であるかご２９が一体的に備えられている。かご２９は、上部開放の円筒状に形成され、上部に把持部３１を備えている。
【００２１】
吹出口１１は、図１，図３のように、円筒の筐体状に形成され、筒部９の下部側に配置されている。吹出口１１には、図１，図３，図４のように上下に吹き出し用の孔３３，３５が複数形成されている。上部の孔３３は、二重の環状に複数配列され、下部の孔３５は、孔３３よりも少なく環状に複数配列されている。
【００２２】
吹出口１１は、配管３７，３９を介して空気供給部４１に接続されている。
【００２３】
配管３７には、中間部に有孔フランジ４３が取り付けられ、上部にカバー４５が取り付けられている。配管３７は、下部が、吹出口１１の突管４７にジョイント４８により着脱自在に結合され、上部が配管３９にジョイント５０により着脱自在に結合されている。配管３７の有孔フランジ４３は、上筒部２７内に配置され、配管３７に対し上筒部２７の位置決めを行っている。有孔フランジ４３には、空気を通過させる孔５２が設けられている。カバー４５は、下向きに開放形状となっている。
【００２４】
配管３９には、支持ステー４９が取り付けられ、支持ステー４９が、容器５の支持ブラケット５１に着脱可能に支持されている。支持ブラケット５１は、容器５の上部２１に設けられている。
【００２５】
配管３９は、容器５の上部２１を貫通して外部に引き出され、筐体３の支持パネル５３に着脱可能に支持されている。この配管３９に、空気供給部４１の配管５５がジョイント５７により着脱可能に接続されている。配管５５は、筐体３の支持パネル５９に着脱可能に支持されている。空気供給部４１は、コンプレッサ等により構成され、コントローラ１８により動作制御される。
【００２６】
［煮熟操作］
水の沸騰による豆の煮熟と煮熟した煮豆を糖液に浸漬する二段階の方法について説明する。
【００２７】
先ず、前述した装置から容器５の上部２１、配管３７を取り外し、容器５の上に蓋２２を乗せた状態で豆の煮熟を行う。小豆をかご２９の中に入れ、水を入れ小豆を煮熟する。かご２９に小豆を収容するときは、かご２９を容器５から取り出して行う。容器５に対するかご２９の出し入れは、容器５の上部２１を取り外して行う。
【００２８】
煮熟条件は水の沸騰下に行い前炊き２０分、渋きり、給水、本炊き６０分で行った。煮汁を切り、かご２９内に煮豆がある状態で容器５の上部２１、配管３７を再装着し、容器５の上に蓋２２を乗せた状態、即ち図1の状態とする。
【００２９】
容器５内に、例えば液面Ａとなるように糖液を入れ、かご２９に糖液に浸漬させる豆類を収容させる。
【００３０】
筒部９の上筒部２７、吹出口１１、及び配管３７，３９を組み付け、配管３９に空気供給部４１の配管５５を組み付ける。
【００３１】
コントローラ１８の制御により加熱部７を動作させて容器５を加熱し、所定温度に到達した後、空気供給部４１を動作させる。
【００３２】
空気供給部４１の動作によりエア・ポンプから配管５５，３９，３７を通って吹出口１１に空気が供給される。供給された空気は、吹出口１１の孔３３，３５から筒部９内を上昇する。
【００３３】
筒部９内の空気の存在により筒部９内の平均密度が小さくなり、筒部９内下端側の圧力が筒部９下端側外の圧力よりも低下する。このため、筒部９下端側周囲から筒部９内下端側へ糖液が流入する。この糖液の流入により筒部９内の液容積が増大し、筒部９上端から矢印のように糖液が溢れ出て、筒部９内外を循環移動する。
【００３４】
また、糖液と空気とが接触することにより水の分圧の低い気泡中に飽和状態となるまで水分が蒸発する。蒸発した水分は筒部９上端から容器５内上部へ放出され、容器５内の糖液の濃度が高まる。
【００３５】
こうして、エア・リフトと言われる原理を用いた簡単な構造により糖液の濃度を高め且つ循環させることでかご２９内の豆を糖液により短時間で品質よく糖を浸透させることができる。
【００３６】
この濃縮浸漬操作の際に、重量センサ１７の検出値がコントローラ１８に逐次入力され、予め定められた速度で糖液を濃縮するため、空気供給が調整され、予め定められた最終の重量糖度％となったときに空気供給部４１の動作が自動的に停止され、さらに設定された浸漬時間となった時に加熱部７が自動的に停止され、濃縮浸漬操作を的確に完了させることができる。
【００３７】
煮熟完了後は、容器５の上部２１を取り外して本体部１９上部を開放し、把持部３１を把持してかご２９を本体部１９外へ取り出すことができる。
【００３８】
容器５内の煮熟後の糖液は、ドレン・パイプ２３を開放して下部から排出させることができる。
【００３９】
［溶質物重量濃度］
本実施例では、溶質物として砂糖を使用するため、溶質物重量濃度は、重量糖度として説明する。なお、溶質物は、食品の加工において砂糖以外にも塩その他の調味料を使用することができ、食品以外では、調味料以外のものも使用することができる。溶質物は、単体、或いは、複数種混合の何れにも適用することができる。
【００４０】
前記コントローラ１８は、本実施例において、溶質物重量濃度の測定装置（被加工物固さの測定装置については後述）であり、溶質物である砂糖を水に添加した浸漬用液体に被加工物である小豆を浸漬しつつ前記砂糖を前記小豆に移乗させる所定割合を測定部としての演算部１８ａが重量糖度として測定、すなわち演算する。
【００４１】
前記砂糖の重量及び前記小豆の乾燥重量とを予め測定し、浸漬加工中の全測定してコントローラ１８に入力し、浸漬加工中の全測定重量の変化は重量センサ１７で測定され、コントローラ１８に入力される。浸漬加工中の全測定重量の変化は、装置の重量等を除き、加工中の容器５中の水分等を含む餡の全重量である。
【００４２】
これらより、前記演算部１８ａは、
重量糖度％＝砂糖の重量／（浸漬加工中の全測定重量−小豆の乾燥重量）×１００
として演算する。
【００４３】
かかる演算式の前提を以下に示す。
【００４４】
重量糖度％ ＝ 餡中の全糖分／（餡中の全糖分＋餡中の全水分）×100 
即ち、重量糖度（溶質物重量濃度）は、完全に餡中の糖と水が均一に混合された場合の糖の濃度である。餡中の水に不溶なものは除外されている。（甘みを感じるのは糖液中の糖の濃度に相関されるので、この濃度が重要となる。） 
糖（砂糖）以外の溶質物として一般化すると、
溶質物重量濃度＝溶質物の重量／（浸漬加工中の全測定重量−被加工物の乾燥重量）
と表すことができる。
【００４５】
ここに、溶質物の重量とは、餡煉りの場合の糖の重量に相当する。食品原料を調理・漬け込む場合の水溶性物質(調味料など)のドライベースの重量である。被加工物の乾燥重量は、赤外線乾燥器、真空乾燥器などを用いて、少量のサンプルを乾燥して重量を測定し、その食材の単位重量当たり乾燥重量として求めたものである。
【００４６】
演算部１８ａの演算結果は、表示部２０に逐次表示される。
【００４７】
従って、砂糖（溶質物）を水に添加した浸漬用液体に小豆（被加工物）を浸漬しつつ前記砂糖を前記小豆に移乗させる所定割合を重量糖度（溶質物重量濃度）として測定する溶質物重量濃度の測定方法であって、前記砂糖の重量及び前記小豆の乾燥重量と浸漬加工中の全測定重量とから、前記式により重量糖度を測定する測定方法を実現することができる。
【００４８】
こうして、砂糖（溶質物）を添加した浸漬用液体に小豆（被加工物）を浸漬しつつ前記砂糖を前記小豆に移乗させつつ小豆の性状である重量糖度を測定する被加工物性状の測定方法であって、前記性状を、浸漬加工中の全測定重量に基づいて測定することができる。
【００４９】
調味料（溶質物）が多岐に渡る場合、容器５（調理釜）に投入した調味料は、投入時に重量を記録しコントローラ１８に入力すれば、その後、加熱攪拌操作を受けてもその割合は変化しないので、調味料の成分毎に溶質物重量濃度を演算・表示することも可能である。
［餡の評価基準］
餡の評価基準は種々の項目があり、代表的なものとして、餡製造時、餡煉りの終点判断で品質管理に用いられるのは、糖度と固さである。
【００５０】
前記のように、糖度は都度サンプリングして屈折計で測定するのが一般的である。しかし、操作が煩わしいだけでなく、固い餡等の場合、屈折計の界面が不明確になる。蔗糖以外の物質(小豆中の溶解成分、水飴、各種の糖、塩など)が糖液に溶解していると正しい値が表示されない、餡煉り後BRIXが経時変化する、など多くの問題点がある。
【００５１】
餡の固さは、目視により判定するが、経験が必要で個人の技量に依存し、個人差が発生する。
【００５２】
これらの問題点を総括すると、信頼性のある糖度と固さを常時表示しながら餡煉りできるようなシステムが望まれていると言える。製品の質量を計測しながら餡煉りするシステムSWS(自動計重量システム)で、餡煉りの終点を、仕上がり質量で定量的に管理する場合もある。
【００５３】
今回は、このシステムを更に進化させ、糖度として重量糖度、固さの尺度として固形分率を表示しながら餡煉りを行なう。
（糖度）
糖度とは蔗糖水溶液中の蔗糖の重量濃度と定義され、通常は屈折計で屈折率を測定し、その蔗糖含有量をBRIXで示す。即ちサンプルの屈折率を測定し、サンプルが蔗糖水溶液と仮定して物性が対応する蔗糖濃度を与えるもので、サンプルに蔗糖以外のものが溶解していれば、正しい値を示さない。つまり、砂糖（蔗糖）以外でも水溶性の物質であれば光を屈折する（物質により屈折率は異なる）ので、BRIX値が計測される。
【００５４】
屈折率ｎ＝ｃ／ｖ 
真空中での速度ｃと、媒質中での速度ｖの比ｃ／ｖ
以下に、物質の屈折率（波長589nm）を示す。
2011033634.tif 000003
（餡の構造）
餡は、餡粒子と糖液が良く混合されたものである。餡粒子は、十数個の澱粉粒を細胞膜で包み込んだもので大きさ５０〜１００ミクロンの粒子である。この細胞膜はかなり強固なもので、餡粒子は安定して取り扱うことができる。
【００５５】
餡煉りはこの餡粒子を糖液でコーティングする作業ということができる。
【００５６】
餡粒子の中に糖液は入っていないか、入っていても、その濃度は低いと推定される。餡粒子の細胞膜は一種の半透膜で、大きさの小さい水分子は比較的自由に移動できるが蔗糖の分子はかなり大きい（分子量が水の20倍）ため移動は困難である。従って餡煉り終了時に、餡粒子の回りは糖液でコーティングされるが、餡粒子内に糖は入っていない。
【００５７】
すなわち、半透膜である餡粒子の細胞膜を隔てて水の濃度に差があるので、浸透圧が生じ、餡粒子内の水が糖液側に移動する。餡煉り後、時間が経つと、餡の糖液濃度が見かけ上減少する。場合によっては、餡と分離した糖液ができる現象を招く原因となる。
（餡の重量糖度）
餡の糖度は屈折計にサンプルを入れて圧迫し、屈折計のセルの表面に糖液を押し出し、この糖液の屈折率が測定され、BRIXとして計測される。つまり、餡粒子をコーティングしている糖液の糖度を測定している。
【００５８】
しかしながら、餡粒子の中にはまだ、糖液と置換されていない水があり、糖が、餡内に均一に分散された場合の濃度とは異なる。この均一に分散された場合の糖度を重量糖度と呼ぶ。重量糖度は以下の式で与えられる。
【００５９】
重量糖度％＝糖の全重量／（糖の全重量 ＋水の全重量）×１００
＝餡中の糖の重量／（餡の全重量−乾燥餡の重量）×１００
乾燥餡の重量とは、生餡を乾燥した場合の重量である。この計算は、餡を、糖と水分と乾燥餡とよりなるとしている。
【００６０】
重量糖度とは文字通り、重量基準の糖分濃度である。即ち、餡中の全水分と全糖分との合計に対する糖分の重量比率である。この場合、全水分には餡粒子に含まれる水分も含まれる。式を見て判るように、製品質量を常時測定すれば、重量糖度は常時表示することができる。
（重量糖度と屈折糖度の関係）
発明者等が試験した結果によると、漉し餡の餡煉りをした場合、屈折計を用いて測定した餡の糖度は、餡中の水に均一に糖分が分散した場合・即ち重量糖度に比べ、３〜４%高い糖度となる。屈折計を用いて測定した餡の糖度BRIX値を今後は屈折糖度と呼ぶ。屈折糖度は餡の表面にある糖液の濃度を測っており、餡全体の糖度を示す重量糖度とは当然異なり、どちらが正しいというものではない。
【００６１】
重量糖度に３−４％を加えれば屈折糖度になっており、重量糖度が表示されれば、屈折糖度は測定しなくとも、推定できる。重量糖度は仕込み重量と最終重量のみに依存し、その再現性・精度は高い。一方屈折糖度は餡の状態に依存し、ある程度の変動は避けられないので、重量糖度による管理が望ましい。
（固さについて）
餡の固さを決める因子
餡は、餡粒子と糖液よりなる分散体である。流動性を支配する因子は粒子と液体の比率である。この比率が僅かに変っても、流動性は大きく変化する。
【００６２】
例えば、図６のように、生餡のケーキは水と餡粒子より成る混合物で、含水率が６３%〜６８%であるが、１％の含水率の変化で流動性が大きく変化することは良く知られている。
【００６３】
この生餡と、煉り餡は、生餡中の水が糖液に置換されたものであり、基本的には同様な流動性を示す。従って煉り餡中の餡粒子と糖液の比率が、餡の流動性に強い影響を与える。糖液の比率が小さくなるほど、流動性が乏しくなる、即ち固くなる。
【００６４】
水の粘度は２０℃で１cpであるが、糖液の粘度は濃度が高くなると増大する。５０%程度までは小さいが、濃度７０%程度では、２０℃５００cp程度であり、かなり大きいと言える。しかし、餡の固さに比べれば小さな値である。従って、餡の固さに大きな影響を与えるのは、餡中の餡粒子の比率である。これを後述の固形分率で代表させる。
（餡の固形分と固さの関係）
餡の固さをレオメーターで測定した。測定方法は、直径10mmの円板を餡中に６０mm/分で侵入させる時の抗力の変化を記録した。
【００６５】
図７のようなチャートが得られ、ピーク値を固さとして採用した。単位はｇ重である。なお、図でマイナス側は付着性を示す。
【００６６】
測定結果の例を図８に示す。固形分率が１％変化しても、固さが大きく変ることが判った。
【００６７】
固形分率は次式で与えられる。
【００６８】
固形分率＝乾燥餡の質量／全質量×１００
一般的には、
固形分率＝被加工物の乾燥重量／浸漬加工中の全測定重量
即ち、煉り餡の中の乾燥した生餡の質量の比率で、固形分率は固さの尺度として使用できる。
【００６９】
以上、餡煉りにおいて、重量センサ１７の検出値をコントローラ１８が取り込んで常時計測し、演算部１８ａにおいて重量糖度及び固形分率を上記式により演算し、表示部１８ａに常時重量糖度と固形分率とを表示し、これらの値から、餡煉りの終点を判定し、管理することができる。
【００７０】
重量糖度に関して言えば、その都度分析する手間が無くなるし、屈折計でBRIXを測定する場合に生じる、サンプリング点の問題、読み取り精度、餡粒子よりの水分移動による変化などの問題がなく、管理指標として適している。
【００７１】
また、従来、数値による管理が困難であった、固さに対しても、固形分率を使用して管理が可能である。
【００７２】
［実施例の効果］
砂糖を水に添加した浸漬用液体に小豆を浸漬しつつ前記砂糖を前記小豆に移乗させつつ小豆の糖度、固さの性状を測定する被加工物性状の測定方法であって、前記糖度、固さの性状を、予め測定した小豆の乾燥重量及び重量センサ１７により検出した浸漬加工中の全測定重量に基づいて測定するため、屈折計を用いずに糖度を測定し、或いは固さを簡易に測定することができる。
【００７３】
砂糖を水に添加した浸漬用液体に小豆を浸漬しつつ前記砂糖を前記小豆に移乗させる所定割合を重量糖度として測定する溶質物重量濃度の測定方法であって、前記砂糖の重量及び前記浸漬前の小豆の乾燥重量と浸漬加工中の全測定重量とから、
重量糖度％＝砂糖の重量／（浸漬加工中の全測定重量−小豆の乾燥重量）×１００
とするため、屈折計を用いずに糖度を測定することができる。
【００７４】
砂糖を水に添加した浸漬用液体に小豆を浸漬しつつ前記砂糖を前記小豆に移乗させる所定割合を重量センサ１７からの検出信号により演算部１８ａが演算し、重量糖度として測定するコントローラ１８であって、前記演算部１８ａは、予め検出した前記砂糖の重量及び前記浸漬前の小豆の乾燥重量と重量センサ１７で検出した浸漬加工中の全測定重量とから、
重量糖度＝砂糖の重量／（浸漬加工中の全測定重量−小豆の乾燥重量）
とするため、屈折計を用いずに糖度を測定することができる。
【００７５】
砂糖を水に添加した浸漬用液体に小豆を浸漬しつつ前記砂糖を前記小豆に移乗させる所定割合を重量糖度として測定する重量センサ１７及び演算部１８ａと、前記重量センサ１７及び演算部１８ａが測定した重量糖度を表示する表示部２０とを備えた加熱浸漬加工装置１であって、前記演算部１８ａは、予め検出した前記砂糖の重量及び前記浸漬前の小豆の乾燥重量と重量センサ１７により検出した浸漬加工中の全測定重量とから、
重量糖度＝砂糖の重量／（浸漬加工中の全測定重量−小豆の乾燥重量）
とするため、屈折計を用いずに糖度を測定し、その変化を逐次表示させることができる。このため、餡の加工管理を容易に行わせることができる。
【００７６】
砂糖を水に添加した浸漬用液体に小豆を浸漬しつつ前記砂糖を前記小豆に移乗させつつ浸漬加工中の小豆の固さを固形分率として測定する被加工物固さの測定方法であって、予め検出した前記浸漬前の小豆の乾燥重量と重量センサ１７により検出した浸漬加工中の全測定重量とから、
固形分率＝小豆の乾燥重量／浸漬加工中の全測定重量
とするため、餡の固さを数値等に換算して簡易に測定することができる。
【００７７】
砂糖を水に添加した浸漬用液体に小豆被を浸漬しつつ前記砂糖を前記小豆に移乗させつつ浸漬加工中の小豆の固さを重量センサ１７及び演算部１８ａが固形分率として測定する被加工物固さの測定装置としてのコントローラ１８であって、前記演算部１８ａは、予め検出した前記浸漬前の小豆の乾燥重量と重量センサ１７により検出した浸漬加工中の全測定重量とから、
固形分率＝小豆の乾燥重量／浸漬加工中の全測定重量
とするため、餡の固さを数値等に換算して簡易に測定することができる。
【００７８】
砂糖を水に添加した浸漬用液体に小豆を浸漬しつつ前記砂糖を前記小豆に移乗させつつ浸漬加工中の小豆の固さを固形分率として測定する重量センサ１７及び演算部１８ａと、前記重量センサ１７及び演算部１８ａが測定した餡の固さを表示する表示部２０とを備えた加熱浸漬加工装置１であって、前記演算部１８ａは、予め検出した前記浸漬前の小豆の乾燥重量と重量センサ１７により検出した浸漬加工中の全測定重量とから、
固形分率＝小豆の乾燥重量／浸漬加工中の全測定重量
とするため、餡の固さを数値等に換算して簡易に測定し、表示部２０に逐次表示させることができる。
［その他］
上記実施例では、重量糖度及び固形分率の双方を逐次測定し表示するようにしたが、何れか一方のみ測定し、表示させることもできる。
【００７９】
本発明の測定方法及び測定装置を適用する浸漬加工装置は、上記実施例以外に、その他、一般的な横型、縦型等の食品の加熱撹拌装置、煮熟装置にも適用することができる。また、食品以外の装置において溶質物重量濃度又は固形分率を測定し表示させることもできる。
【００８０】
前記小豆の煮熟は、水の沸点未満で行うことも可能である。しばしば、沸点１００℃よりも低い温度で時間をかけて煮熟した方が豆全体を均一に柔らかく、かつ保形成良く炊くことができる場合がある。本装置１を用い、前記実施例の濃縮浸漬操作において、浸漬用液体を糖液の代わりに水を用いることで対応することができる。
【００８１】
前記実施例は、被加工物に小豆を用いた場合であるが、小豆は密煮すると煮熟が進まないため、煮熟と蜜漬けとを分離して行う必要がある。一方、豆によっては、蜜煮が可能なものもあり、蜜漬け操作のみで沸点以下での煮熟蜜漬けができる。
【００８２】
かご２９は、備えない構成にすることも可能である。
【００８３】
かご２９は、多孔であればよく、必ずしもかごである必要はない。
【００８４】
かご２９と下筒部２５とは、別体にすることもできる。下筒部２５及び上筒部２７は、一体にすることもできる。
【００８５】
加熱部７は、電熱コイルによる加熱部、或いはガスを用いた加熱部とすることもできる。
【００８６】
重量センサ１７は、省略することもできる。
【符号の説明】
【００８７】
１  加熱浸漬加工装置（浸漬加工装置）
１７  重量センサ（測定部）
１８  コントローラ（溶質物重量濃度の測定装置、被加工物固さの測定装置）
１８ａ  演算部（測定部）
２０  表示部
【図１】
2011033634.tif 000004
【図２】
2011033634.tif 000005
【図３】
2011033634.tif 000006
【図４】
2011033634.tif 000007
【図５】
2011033634.tif 000008
【図６】
2011033634.tif 000009
【図７】
2011033634.tif 000010
【図８】
2011033634.tif 000011